(57)【要約】【課題】視聴制限をする機能の使い勝手を向上させた放送受信装置を提供する。【解決手段】  放送受信装置は、チューナ部、ＯＳＤ合成部、制御部等を備える。チューナ部２は、選局すると（ＳＴ１）、チューナ部のシステムデコーダは、放送番組情報のデータであるＥＩＴを制御部に出力する。制御部は、ＥＩＴからディメンジョン、レイティングを抽出する（ＳＴ２）。制御部７は、レイティングの設定を不揮発性メモリ７４から読み出す（ＳＴ３）。受信禁止予定の放送番組があるか判断し（ＳＴ５）、視聴制限された放送番組の開始時に（ＳＴ５のＹＥＳ）、チャンネルマップからその放送番組のチャンネルの情報の登録を削除する（ＳＴ６）。視聴制限された放送番組が終了すると（ＳＴ７のＹＥＳ）、削除したチャンネルの情報を再登録してマップを戻す（ＳＴ８）。【選択図】図４
2008244615.tif 000002
【特許請求の範囲】
【請求項１】
デジタル放送の特定の周波数の物理チャンネルに重畳された複数のサブチャンネルの放送番組のいずれかを選局して受信すると共に、前記放送番組を視聴制限するためのレイティングを含む、前記放送番組の情報を受信する受信手段と、
各チャンネルを選局するためのチャンネル情報を登録したチャンネルマップを記憶する記憶手段と、を備え、
前記受信手段は、前記チャンネルマップに基づいて各チャンネルを選局する放送受信装置において、
前記受信手段が受信した放送番組の情報に基づいて、前記放送番組の放送時刻と前記チャンネルとをマトリクス表示した電子番組表の表示を出力する表示出力手段を備え、
前記受信手段は、前記放送番組を受信する前に前記放送番組のレイティングを予め受信しており、
前記記憶手段は、前記受信手段が放送番組のいずれかを受信していた時間帯を記憶し、また、予め設定されたレイティングの設定と放送予定の放送番組のレイティングとを比較した結果、前記登録したチャンネル情報のうち予め定めた基準に合致する放送番組に対応するサブチャンネルのチャンネル情報を前記チャンネルマップから削除し、前記放送番組の終了時に前記削除したチャンネル情報を前記登録した状態に戻すものであって、
前記表示出力手段は、前記電子番組表に重ねて、前記記憶手段が削除した放送番組を図示する表示と、前記時間帯を図示する表示とを重ねて出力する放送受信装置。
【請求項２】
放送番組を選局して受信すると共に、前記放送番組を視聴制限するためのレイティングを含む、前記放送番組の情報を受信する受信手段と、
各チャンネルを選局するためのチャンネル情報を登録したチャンネルマップを記憶する記憶手段と、を備え、
前記受信手段は、前記チャンネルマップに基づいて各チャンネルを選局する放送受信装置において、
前記受信手段は、前記放送番組を受信する前に前記放送番組のレイティングを予め受信しており、
前記記憶手段は、予め設定されたレイティングの設定と放送予定の放送番組のレイティングとを比較した結果、前記チャンネル情報のうち予め定めた基準に合致する放送番組に対応するチャンネル情報を前記放送番組の放送開始時に前記チャンネルマップから削除し、前記放送番組の終了時に、前記削除したチャンネル情報を前記登録した状態に戻す放送受信装置。
【請求項３】
前記受信手段は、デジタル放送の特定の周波数の物理チャンネルに重畳された複数のサブチャンネルの放送番組を受信するものであり、
前記記憶手段は、前記サブチャンネルのうち前記予め定めた基準に合致するサブチャンネルを前記チャンネルマップから削除する請求項２に記載の放送受信装置。
【請求項４】
前記記憶手段が削除した放送番組の一覧の表示を出力する表示出力手段をさらに備える、請求項２〜３のいずれかに記載の放送受信装置。
【請求項５】
前記受信手段が受信した放送番組の情報に基づいて、前記放送番組の放送時刻と前記チャンネルとを対応させた電子番組表の表示と、前記記憶手段がチャンネルマップから削除した放送番組を特定する表示と、を重ねて出力する表示出力手段をさらに備える請求項２〜３のいずれかに記載の放送受信装置。
【請求項６】
前記記憶手段は、前記受信手段が放送番組のいずれかを受信していた時間帯を記憶し、
前記表示出力手段は、前記電子番組表に重ねて、前記時間帯を特定する表示を重ねて出力する請求項５に記載の放送受信装置。
【請求項７】
前記放送番組の放送時刻と前記チャンネルとを対応させた電子番組表の表示を出力する表示出力手段を備え、
前記記憶手段は、すでに放送された過去の放送番組について前記受信手段が受信した、前記レイティングを含む放送番組の情報を記憶し、
前記表示出力手段は、前記過去の放送番組について、前記電子番組表の表示を出力すると共に、前記レイティングの設定と、すでに放送された放送番組のレイティングと、を比較した結果、前記チャンネル情報のうち予め定めた基準に合致する放送番組を特定する表示を重ねて出力する請求項２〜３のいずれかに記載の放送受信装置。
【発明の詳細な説明】
【技術分野】
【０００１】
本発明は、放送と番組情報を受信して視聴制限を行う放送受信装置に関する。
【背景技術】
【０００２】
従来より、デジタル放送が実用化されている。デジタル放送は、複数の放送がパケット化されたＴＳ（トランスポーストリーム）の形で伝送されており、これらのパケットのうちいずれかは、ＰＳＩ(Program Specific Information、番組特定情報)またはＳＩ（Service Information）が伝送されている。ＰＳＩ／ＳＩの中には、ＥＩＴ(EventInformation Table)が含まれている。これから受信する放送番組の名称や放送日時、放送内容など、番組に関連する情報が最大約３時間分含まれている。なお、ＥＰＧ（Electronic Program Guide、電子番組表）は主にＥＩＴを用いて作成される。
【０００３】
さらに、ＥＩＴの中には、不適切な放送番組について子供が視聴しないよう、親が視聴制限をかける設定をするためのＲＲＴ（Rating Region Table、レイティング地域テーブル）が含まれる。このＲＲＴには、視聴制限を行うための各種の項目（Dimension,ディメンジョン）と、その項目によりどのレベルで視聴制限を行うかを表すレベル（レイティング）とが対応付けられた視聴制限情報を含んでいる。たとえば、ディメンジョンとしては、バイオレンス、アダルトなどの項目がある。レイティングには、年齢制限をかける１３歳未満、１８歳未満など）のレベルの設定などがある。
【０００４】
また、受信した電子番組表の各番組のデータには、視聴制限を行うための各種の項目と、その項目のレイティングが含まれている。レイティング情報が放送受信装置に予め設定された場合には、放送受信装置は、この設定された条件以上のレベルの放送番組について視聴制限を行う。具体的には、画面を真っ黒にして、視聴制限がかかっている旨の表示を行う。
【０００５】
特許文献１には、チャンネル情報が登録されたチャンネルマップを記憶するメモリを備え、予め設定されたレイティングと比較して視聴制限をする場合には、視聴制限する放送番組をチャンネルマップから削除する視聴制限方法が開示されている。特許文献１には、ＶＢＩ（Vertical Blanking Interval、垂直帰線消去時間）を利用して、視聴制限のための放送番組情報を入力する旨の記載がある。特許文献２には、視聴制限する場合に、視聴可能な放送番組の一覧を表示する映像処理装置が開示されている。特許文献３には、視聴制限するときに、水平走査線、垂直走査線の同期を意図的にずらす映像処理装置が開示されている。特許文献３には、この構成によれば、視認不可能であるものの何らかの映像が出力されるので、利用者の違和感を軽減できる旨の記載がある。
【特許文献１】特開２００４−１８７３２８公報
【特許文献２】特開２００１−３４６１０８公報
【特許文献３】特開２０００−２０９５６１公報
【発明の開示】
【発明が解決しようとする課題】
【０００６】
しかしながら、特許文献１の構成では、ＶＢＩ（Vertical Blanking Interval、垂直帰線消去時間）を利用して視聴制限をするものであるため、視聴制限すべき放送番組が一瞬でも映ってしまう問題があった。また、勝手にチャンネルが削除されてしまうため、ユーザとしては、どの放送番組が削除されたのか把握できず、ユーザの使い勝手を犠牲にするものであった。
【０００７】
そこで、視聴制限をする機能の使い勝手を向上させた放送受信装置を提供することを目的とする。
【課題を解決するための手段】
【０００８】
本発明は、上述の課題を解決するための手段を以下のように構成している。
【０００９】
（１）  放送番組を選局して受信すると共に、前記放送番組を視聴制限するためのレイティングを含む、前記放送番組の情報を受信する受信手段と、
各チャンネルを選局するためのチャンネル情報を登録したチャンネルマップを記憶する記憶手段と、を備え、
前記受信手段は、前記チャンネルマップに基づいて各チャンネルを選局する放送受信装置において、
前記受信手段は、前記放送番組を受信する前に前記放送番組のレイティングを予め受信しており、
前記記憶手段は、予め設定されたレイティングの設定と放送予定の放送番組のレイティングとを比較した結果、前記チャンネル情報のうち予め定めた基準に合致する放送番組に対応するチャンネル情報を前記放送番組の放送開始時に前記チャンネルマップから削除し、前記放送番組の終了時に、前記削除したチャンネル情報を前記登録した状態に戻す。
【００１０】
この構成では、受信手段は、前記放送番組を受信する前に前記放送番組のレイティングを予め受信しており、放送予定の放送番組のうち、予め定めた基準に合致する放送番組に対応するチャンネル情報をチャンネルマップから削除する。したがって、現在受信している放送番組について視聴制限をするのではなく、視聴制限するかを予め判断しているので、視聴制限すべき放送番組が一瞬でも映ってしまうといった問題を解消できる。また、チャンネル情報をチャンネルマップから削除するので、この構成の放送受信装置は、視聴制限された放送番組のチャンネルが元々なかったように動作する。したがって、視聴制限をしている旨表示する画面が出力されることはなく、ユーザのイライラ感が軽減される。チャンネルマップから削除するので、チャンネル操作を受けるごとに毎回チャンネルをスキップするなどの制御をする必要がない。以上より、この構成によれば、視聴制限をする機能の使い勝手を向上させることができる。
【００１１】
（２）  前記受信手段は、デジタル放送の特定の周波数の物理チャンネルに重畳された複数のサブチャンネルの放送番組を受信するものであり、
前記記憶手段は、前記サブチャンネルのうち前記予め定めた基準に合致するサブチャンネルを前記チャンネルマップから削除する。
【００１２】
この構成では、記憶手段は、視聴制限する放送番組に関する物理チャンネル全体の情報をチャンネルマップから削除するのではなく、視聴制限する放送番組に関係するサブチャンネルの情報だけを削除するので、視聴制限を的確に行うことができる。
【００１３】
（３）  前記記憶手段が削除した放送番組の一覧の表示を出力する表示出力手段をさらに備える。
【００１４】
この構成では、前記記憶手段が前記チャンネルマップから削除した放送番組の一覧の表示を出力するから、実際に視聴制限された放送番組を事後的に確認できる。したがって、予め設定されたレイティングの設定が適切であったかどうかを確認することができる。
【００１５】
（４）  前記受信手段が受信した放送番組の情報に基づいて、前記放送番組の放送時刻と前記チャンネルとを対応させた電子番組表の表示と、前記記憶手段がチャンネルマップから削除した放送番組を特定する表示と、を重ねて出力する表示出力手段をさらに備える。
【００１６】
この構成では、表示出力手段は、電子番組表の表示に重ねて、前記記憶手段が削除した放送番組を特定する表示を出力する。したがって、前記記憶手段が削除した放送番組の履歴がこの表示により容易に把握でき、実際に視聴制限された放送番組を事後的に確認できる。したがって、予め設定されたレイティングの設定が適切であったかどうかを確認することができる。
【００１７】
（５）  前記記憶手段は、前記受信手段が放送番組のいずれかを受信していた時間帯を記憶し、
前記表示出力手段は、前記電子番組表に重ねて、前記時間帯を特定する表示を重ねて出力する。
【００１８】
この構成では、視聴制限がかかっていた放送番組のみならず、前記受信手段が放送番組のいずれかを受信していた時間帯、すなわち視聴制限を受けるユーザにより視聴されていた時間帯を図示する表示を重ねて出力する。したがって、予め設定されたレイティングの設定が適切であったかどうかを放送番組表の形式で容易に確認することができるだけでなく、視聴制限を受けるユーザの視聴状態を管理することができる。
【００１９】
（６）    前記放送番組の放送時刻と前記チャンネルとを対応させた電子番組表の表示を出力する表示出力手段を備え、
前記記憶手段は、すでに放送された過去の放送番組について前記受信手段が受信した、前記レイティングを含む放送番組の情報を記憶し、
前記表示出力手段は、前記過去の放送番組について、前記電子番組表の表示を出力すると共に、前記レイティングの設定と、すでに放送された放送番組のレイティングと、を比較した結果、前記チャンネル情報のうち予め定めた基準に合致する放送番組を特定する表示を重ねて出力する。
【００２０】
この構成では、前記受信手段が受信した過去の放送番組を記憶手段が記憶している。また、過去の放送番組に関して、放送受信装置の電源がオフであったかにかかわらず、予め定めた基準に合致する放送番組を電子番組表の表示に重ねて図示する表示を出力する。したがって、視聴制限を受けるユーザが放送を視聴していたかにかかわらず、予め設定されたレイティングが適切であったかどうかを、放送番組表の形式で容易に確認することができる。したがって、視聴制限をする機能の使い勝手を向上させることができる。
【発明の効果】
【００２１】
本発明によれば、視聴制限をする機能の使い勝手を向上させた放送受信装置を提供できる
【発明を実施するための最良の形態】
【００２２】
図１を用いて、本実施形態のデジタル放送録画装置（図中１で図示）の構成について説明する。デジタルチューナ１は、デジタル放送を受信して、受信した番組を録画する録画装置である。
【００２３】
デジタルチューナ１は、チューナ部２と、ＯＳＤ（オンスクリーンディスプレイ）合成部５、Ｄ／Ａ変換器６１，６２、制御部７、リモコン受光部８を備える。またデジタルチューナ１の外部に、リモコン８０、表示器１０２を備える。
【００２４】
アンテナ１０１は、電波を受信する。チューナ部２（本発明のチューナ部に相当する。）は、チューナ２０、ＴＶデコーダ２５を備えている。チューナ２０は、不揮発性メモリ２００、チューナパック２１、地上デジタルモジュール２２、ＴＶデコーダ２５、システムデコーダ２６を備えている。
【００２５】
不揮発性メモリ２００は、チューナ２０が選局するためのチャンネルマップを記憶している。チャンネルマップには、各チャンネルを選局するためのチャンネル情報が登録されている。チャンネルマップは、制御部７による図示しないオートプリセット処理により、仮想チャンネルが割り当てられる。通常は、オートプリセット処理は、デジタルチューナ１の使用開始時に、ユーザの指示を受けて制御部７により実行され、不揮発性メモリ２００のチャンネルマップにチャンネル情報が登録される。
【００２６】
チューナパック２１は、ＩＦ（intermediate frequency）フィルタと、ＩＦアンプ等とを備えている。ＩＦフィルタは所定の物理チャンネルの信号を通す。このとき、チューナパック２１は、不揮発性メモリ２００のチャンネルマップを参照する。したがって、チューナ２０は、チャンネルマップ内に登録したチャンネルしか選局できない。
【００２７】
ＩＦアンプは、ＩＦフィルタから出力された信号を増幅する。これらの構成により、チューナ部２１は、システムデコーダ２６により指定されたチャンネルの放送信号を抽出し、地上デジタルモジュール２２に出力する。
【００２８】
地上デジタルモジュール２２は、復調回路、誤り訂正回路、マルチプレクサ、バッファメモリを備えている。復調回路は、入力された放送信号をデジタルデータであるＴＳ（トランスポートストリーム）にＯＦＤＭ（Orthogonal Frequency Division Multiplexing）復調し、誤り訂正回路に出力する。誤り訂正回路は入力されたＴＳ（トランスポートストリーム）の誤り情報を訂正する。
【００２９】
ＴＳには複数の仮想チャンネルの番組が多重化されて送信されている。デマルチプレクサは、これらの仮想チャンネルのうちの１チャンネルのパケットを抽出して、抽出したパケットに格納されているデータをバッファメモリに記憶させるとともに、チャンネル番号の情報を制御部７に出力する。
【００３０】
また、ＴＳには、ＰＳＩ(Program Specific Information、番組特定情報)またはＳＩ（Service Information）のパケットが含まれている（以下、ＰＳＩ／ＳＩと表記する）。デマルチプレクサは、ＴＳからＰＳＩ／ＳＩを分離して、バッファメモリは、これを記憶する。
【００３１】
ＴＶデコーダ２５は、チューナ２１内のバッファメモリが記憶するデータを適宜読み出す。そして、読み出したデータから映像データと音声データとを分離する。また、ＴＶデコーダ２５は、映像データと音声データを伸長し、出力する。
【００３２】
システムデコーダ２６は、デマルチプレクサが分離したＰＳＩ／ＳＩのパケットをデコードする。ＰＳＩ／ＳＩの中には、ＥＩＴ(EventInformation Table)が含まれている。ＥＩＴには、番組の名称や放送日時、放送内容、視聴制限のための情報など、受信できる番組に関連する情報が含まれる。ＥＩＴは、今後放送される最大３時間程度の放送番組情報が含まれている。
【００３３】
また、ＥＩＴの中には、不適切な放送番組について子供が視聴しないよう、親が視聴制限をかけるときにレイティングの設定をするためのＲＲＴ（Rating Region Table、レイティング地域テーブル）が含まれる。このＲＲＴには、視聴制限を行うための各種の項目（Dimension,ディメンジョン）と、その項目によりどのレベルで視聴制限を行うかを表すレベル（レイティング）とが対応付けられた視聴制限情報を含んでいる。たとえば、ディメンジョンとしては、バイオレンス、アダルトなどの項目がある。レイティングには、年齢制限をかける１３歳未満、１８歳未満など）のレベルがある。システムデコーダ２６は、これらのＥＩＴ、ＲＲＴの情報を制御部７に出力する。
【００３４】
ＯＳＤ合成部５は、デジタルチューナ１の各種状態や設定を表示するための文字図形の映像信号を出力する。ＯＳＤ合成部５は、ＯＳＤ画像メモリを備えており、制御部７から与えられる制御信号に基づいて、このＯＳＤ画像メモリが記憶している文字又は図形の映像信号を生成し、出力する。また、ＴＶデコーダ２５から映像信号が出力されている場合には、ＯＳＤ合成部５は、この映像信号を合成する。
例えば、ＯＳＤ合成部５は、チューナ部２で受信して放送を表示しているときは、チャンネル情報を表示する映像信号を生成する。また、レイティング設定処理７２１が動作しているときは、その設定項目を表示する映像信号を生成する。
【００３５】
Ｄ／Ａ変換部６１は、ＯＳＤ合成部５から出力した映像信号をアナログの映像信号に変換し、外部の表示器１０２（テレビジョン受像機受像機等）に出力する。Ｄ／Ａ変換部６２は、ＴＶデコーダ２５から出力された音声信号をアナログの音声信号に変換し、スピーカ１０３に出力する。
【００３６】
制御部７は、マイコンで構成する。制御部７は、ＣＰＵ、制御部７内のサブプログラムを格納するＲＯＭ７２、制御部７の計算結果を一時的に記憶するＲＡＭ７３を備え、デジタルチューナ１内の各部を制御する。また、制御部７は、レイティング設定処理７２１、視聴制限処理７２３、表示処理７２４を動作せるためのサブルーチンを上記ＲＯＭ内に格納している。
【００３７】
制御部７は、レイティング設定処理７２１を不揮発性メモリ７４に記憶したＲＲＴに基づいて制御を行う。このとき、制御部７は、リモコン８０からレイティングの設定を受け付け、不揮発性メモリ７４は、レイティングの設定を記憶する。また、レイティング設定処理７２１で行った設定と、チューナ部２が受信したＥＩＴに含まれるレイティングを比較した結果に基づいて、視聴制限処理７２３を行う。また、制御部７は、表示処理７２４により、視聴制限を行った放送番組を表示する処理を行う。さらに、制御部７は、主にＥＩＴを用いてＥＰＧ（Electronic Program Guide、電子番組表）を作成する。
【００３８】
不揮発性メモリ７４は、ＥＥＰＲＯＭ（Electronically Erasable and Programmable Read Only Memory）とすることができる。ＥＥＰＲＯＭは、デジタルチューナ１の電源をオフにしても記憶を継続することができ、また、電気的に内容を書き換えることができる。不揮発性メモリ７４は、ＲＲＴのデータを記憶する。
【００３９】
リモコン受光部８は、リモコンからの赤外信号を受け付けて、制御部７を操作するための制御入力を入力する。リモコンの操作子が押下げられると、所定の制御入力が制御部７に入力される。なお、制御部７に制御入力を入力するために、デジタルチューナ１本体に操作子を設けてもよい。
【００４０】
なお、この実施形態ではＤ／Ａ変換部６１、６２を設けているが、外部にデジタル信号対応のテレビジョンを接続する場合は、Ｄ／Ａ変換部６１、６２を設ける必要はない。また、この実施形態では、アンテナ１０１から受信しているが、ケーブルテレビ送信網を通じて受信するものでも良い。
【００４１】
図２を用いて、ＲＲＴテーブルの構成について説明する。ＲＲＴは、ディメンジョンと、そのレイティングという２次元のデータになる。ディメンジョンは、視聴制限を行う各種の項目である。図２に示すようにディメンジョンとして「Ｈｕｍｏｒ  Ｌｅｖｅｌ」、「Ｖｉｏｌｅｎｃｅ  Ｌｅｖｅｌ」などがある。また、図２に示す以外でも、「Ｓｅｘ」などのディメンジョンを設けてもよい。レイティングは、この各ディメンジョンに対して、視聴制限を行うレベルである。たとえば、「Ｈｕｍｏｒ  Ｌｅｖｅｌ」のディメンジョンについては、「ＤＨ」、「ＭＨ」、「Ｈ」、「ＶＨ」などのレイティングがあり、「Ｖｉｏｌｅｎｃｅ  Ｌｅｖｅｌ」のディメンジョンについては、「Ｕ−１７」、「Ｕ−１３」、「Ｕ−６」などのレイティングがある。
【００４２】
次に、図３を用いて、視聴制限するレイティングを設定する設定画面、不揮発性メモリ７４に記憶するデータのフォーマットについて説明する。図３（Ａ）は、その設定画面のメニュー画面の例を表している。この画面は、たとえば、リモコン８の所定のキー操作（たとえばパスワード入力）により、レイティング設定処理７２１のサブルーチンが呼び出されて表示される。このパスワードの入力は、視聴制限をかけるユーザ、特に未成年の子供を持つ親が行う。親は、子供が所定の放送番組を視聴しないように、子供に秘密のパスワードを入力してレイティングを設定する。また、制御部７は、この画面を表示するに当たり、不揮発性メモリ７４に記憶したＲＲＴを参照する。
【００４３】
図３（Ａ）の左の図に示すように、リモコン受光部８０は、リモコン８０から、「Ｈｕｍｏｒ  Ｌｅｖｅｌ」、「Ｖｉｏｌｅｎｃｅ  Ｌｅｖｅｌ」のディメンジョンの選択を受け付ける。カーソルキー８１で「Ｈｕｍｏｒ  Ｌｅｖｅｌ」が選択され、決定キー８３が押されると、ディメンジョンの「Ｈｕｍｏｒ  Ｌｅｖｅｌ」の各レイティングが表示される。各レベルを設定する選択は、カーソルキー８１の上下キーで行うものとすることができる。「ＶＩＥＷ」(視聴可)、「ＢＬＯＣＫ」（視聴制限）の選択ができる。
【００４４】
このようにして、画面上で設定がされ、リモコン８０の決定キー８３が押されると、ＲＲＴ設定処理７２１は、視聴制限の設定データを不揮発性メモリ７４に記憶させる。
【００４５】
図３（Ｂ）に、揮発性メモリ７５に記憶する視聴制限の設定データの構造を示す。設定データは、ディメンジョンとレイティングの２次元のテーブルとして構成できる。この構造は、各ディメンジョンの各レイティングについて、「ＶＩＥＷ」(視聴可)、「ＢＬＯＣＫ」（視聴制限）、「ＶＩＥＷ」(視聴可)が設定されたデータとなっている。
【００４６】
なお、実装上は、図３（Ｂ）のデータをそのまま記憶するのではなく、このテキストデータを「ＢＬＯＣＫ」（視聴制限）＝０、「ＶＩＥＷ」(視聴可)＝１という風に２値でコード化してコード列を記憶してもよい。図３で示した例は一例であり、各ディメンジョンに対するレイティングを設定するものであれば他のどのような方法でもよい。
【００４７】
次に図４のフロー図を用いて、視聴制限処理７２３について説明する。なお、この処理の前提として視聴制限の設定が不揮発性メモリ７４に記憶されている。また、視聴制限処理７２３のサブルーチンは、起動時、およびその後定期的に呼び出され実行される。
【００４８】
ＳＴ１で、起動時には、チューナ部２は、設定されているチャンネルを選局する。このチャンネルは、前回、デジタルチューナ１の電源をオフにしたときに設定されていたチャンネルとしてよい。このとき、システムデコーダ２６は、放送番組情報であるＥＩＴをデコードして制御部７に出力する。なお、ＥＩＴには、受信したチャンネルの情報のみならず、受信できるすべてのチャンネルの情報が含まれている。
【００４９】
なお、ＳＴ１の動作は、デジタルチューナ１の起動時でなければ、すでに選局されているから、実行する必要がない。
【００５０】
ＳＴ２では、制御部７が、今後放送される番組の情報、特にチャンネルのディメンジョン、レイティングを、放送が始まる前に予め抽出し、ＲＡＭ７３または不揮発性メモリ７４がこれを記憶する。ＳＴ３で、レイティングの設定を不揮発性メモリ７４から読み出す。
【００５１】
ＳＴ４で、視聴制限がされている放送番組があるかどうか判断する。具体的には、不揮発性メモリ７４に記憶されたレイティングの設定を超えている放送番組があるか判断する。レイティングの設定を超えている放送番組がない場合には（ＳＴ４のＮＯ）、ＳＴ７に移動する。レイティングの設定を超えている放送番組がある場合には（ＳＴ４のＹＥＳ）、ＳＴ５に移動する。
【００５２】
なお、以下では、ＳＴ４の判断に合致する（ＳＴ４のＹＥＳ）放送番組を「視聴制限された放送番組」と称することにする。
【００５３】
ＳＴ５で、視聴制限された放送番組の放送が開始されたかどうか判断する。具体的には、ＳＴ４で判断した、視聴制限のレイティングの設定を超えている放送番組の放送が開始されたかどうか判断する。ＳＴ４で判断した、レイティングの設定を超えている放送番組の放送が開始された場合には（ＳＴ５のＹＥＳ）、放送開始時に、その放送番組のチャンネルを不揮発性メモリ２００のチャンネルマップから削除する。そうでない場合には（ＳＴ５のＮＯ）、ＳＴ７に移動する。
【００５４】
ＳＴ４、ＳＴ５の処理によれば、放送開始前から、レイティングの設定を超えているかを判断して（ＳＴ４）、放送開始時には（ＳＴ５のＹＥＳ）、チャンネルマップから削除する（ＳＴ６）。チューナ部２は、チャンネルマップから削除したチャンネルを選局できないから、チューナ部２は、視聴制限された放送番組が元々なかったように動作し、視聴制限された放送番組を選局することはそもそもできない。したがって、たとえばリモコン８０のカーソルキー８１（チャンネルアップ／ダウンキーを兼ねる。）が操作された場合に、制御部７が直接選局したり、スキップしたりするなどの煩雑なチャンネルの制御をする必要もないし、個々のチャンネルが選局されるごとに、何らかの制御をする必要もない。
【００５５】
ＳＴ７で、視聴制限された放送番組が終了したかどうか判断する。視聴制限された放送番組が終了した場合には（ＳＴ７のＹＥＳ）、ＳＴ８で、視聴制限された放送番組に対応するチャンネルの情報をチャンネルマップに再登録することにより、チャンネルマップを元に戻す。視聴制限された放送番組が終了していない場合には（ＳＴ７のＮＯ）、視聴制限を続けるため、ＳＴ８の処理をせず、フローは終了する。
【００５６】
なお、以上の処理では、定期的に図４のフローを実施するとしたが、ＳＴ５、ＳＴ７の処理を定期的に行わずに、ＳＴ５、ＳＴ７の処理をタイマー割り込みで起動することも可能である。すなわち、ＳＴ４で判断した結果、視聴制限された放送番組がある場合には（ＳＴ４のＹＥＳ）、制御部７内の図示しないタイマーを起動して、ＳＴ６の処理を行うことができる。また、ＳＴ６の処理を行った場合には、新たにタイマーを起動して、終了時刻までの時間を計算して、ＳＴ８の動作を行ってもよい。
【００５７】
次に、図５、図６を用いて、表示処理７２４について説明する。表示処理７２４は、視聴制限された放送番組を事後的に表示する処理である。表示処理７２４の処理として、以下の２通りの実施例が考えられる。図５は、第１の実施例の画面表示を表している。図６は、第１の実施例の画面表示を表している。
【００５８】
＜第１の実施例＞
第１の処理の前提として、不揮発性メモリ７４が、実際に視聴制限された放送番組のチャンネルと時間帯を記憶している。視聴制限をするユーザ（例えば子供を持つ親）は、所定のパスワードをリモコン８０から入力する。制御部７は、リモコン８０からこのパスワードの制御入力をリモコン受光部８を通して受け付ける。制御部７は、この制御入力を受けた場合には、受信したＥＩＴのデータから、電子番組表を作成する。
【００５９】
図５のように、電子番組表として、時刻と、チャンネルでマトリクス状に対応させて表示をする。制御部７は、不揮発性メモリ７４に記憶されたデータから、実際に視聴制限された放送番組のチャンネルと時間帯をハッチングして、特定する。たとえば、斜線やクロスした斜線や、雨滴模様で特定する。これにより、視聴制限をかけるユーザは、実際に視聴制限した放送番組、放送時間、テレビがオンになっていた時間をつかむことができる。
【００６０】
例えば、ＣＨ２の１０時、ＣＨ１の１０時、ＣＨ２の１２時、１時は放送番組「成人映画」であり、実際に視聴制限がされていたので、斜線のハッチングで表示する。ＣＨ１の１１時、ＣＨ４の１１時は、放送番組「メロドラマ」であり、実際に視聴制限がされていたので、クロスのハッチングで表示する。ＣＨ４の１２時は、放送番組「格闘技」であり、実際に視聴制限がされていたので、雨滴模様でハッチングして表示する。このように、ディメンジョンによりハッチング、網掛けを変えるようにすれば、ディメンジョンを区別しやすくなりわかりやすい。ハッチングでなく、単に色分けするのでもよい。ただし、必ずしも、ハッチングや色分けでディメンジョンを区別する必要はない。電源オフ時間７２５、７２６は、テレビがオフになっていた時間を示す。これにより、デジタルチューナ１の電源がオンになっていた、またはチューナ部２が放送番組を受信していた時刻を図示することができる。
【００６１】
これにより、視聴制限をかけるユーザは、予め設定したレイティングの設定が適切であったかどうかを確認することができるだけでなく、視聴制限を受けるユーザの視聴状態を管理することができる。
【００６２】
なお、電源オフ時間７２５、７２６を示すのではなく、デジタルチューナ１の電源がオンになっていた、またはチューナ部２が放送番組を受信していた時刻を直接図示してもよい。
【００６３】
＜第２の実施例＞
第２の処理の前提として、電源オフにかかわらず、制御部７は、定期的にＥＩＴを受信して記憶する処理をタイマーで起動させ、ＥＩＴを連続的に不揮発性メモリ７４に記憶させる。なお、タイマー割り込みで定期的に起動しなくても、１回で十分なデータを取得できる場合には、タイマー割り込みによる処理は不要である。
【００６４】
この処理では、タイマー起動により切れることなく連続的にＥＩＴを取得しているので、得られたＥＩＴから、レイティング設定処理７２１で設定したよりも高いレイティングの放送番組を電子番組表に重ねて図示できる。
【００６５】
例えば、図６のようにハッチングすることができる。ハッチングの方法は図５で示したものと同様である。ここでは、デジタルチューナ１の電源がオンのときに実際に視聴制限がされていた放送番組をハッチングするのではなくて、「レイティング設定処理７２１で設定したよりも高いレイティングの放送番組である」という基準（この基準は、本発明の「予め定めた基準」に相当する。）に合致するものを図示する。
【００６６】
なお、以上の第１、第２の処理では、電子番組表に重ねて視聴制限されている放送番組を特定したが、単にチャンネルマップから削除した放送番組の一覧の表示を出力してもよい。実際に視聴制限された放送番組を事後的に確認できる。したがって、予め設定されたレイティングの設定が適切であったかどうかを確認することができる。
【００６７】
また、以上の説明では、レイティングの設定を不揮発性メモリ７４に記憶したが、デジタルチューナ１の電源をオフにしても、記憶でき、制御部７がアクセスできるのであれば、どのように、どこに記憶してもよい。例えば、制御部７内のＲＯＭ７２を不揮発性メモリにして、ＲＯＭ７２がレイティングの設定を記憶してもよい。
以上の説明ではチャンネルマップを不揮発性メモリ２００に記憶したが、デジタルチューナ１の電源をオフにしても、記憶でき、これに基づいてチューナ部２が選局できるのであれば、どのように、どこに記憶してもよい。例えば、制御部７外の不揮発性メモリ７４に記憶してもよい。
【図面の簡単な説明】
【００６８】
【図１】本実施形態の放送受信装置の構成図
【図２】ＲＲＴテーブルの構成図
【図３】本実施形態の放送受信装置のレイティング設定処理の例を表す図
【図４】本実施形態の放送受信装置の視聴制限処理のフロー図
【図５】本実施形態の放送受信装置の表示処理時の実施例１の画面表示を表す図
【図６】本実施形態の放送受信装置の表示処理時の実施例２の画面表示を表す図
【符号の説明】
【００６９】
１−デジタルチューナ、  ２−チューナ部、  ２０−チューナ、
２００−不揮発性メモリ、  ２１−チューナパック、
２２−地上デジタルモジュール、  ２５−ＴＶデコーダ、
２６−システムデコーダ、  ５−ＯＳＤ合成部、
６１−Ｄ／Ａ変換器、  ６２−Ｄ／Ａ変換器、
７−制御部、  ７２−ＲＯＭ、
７２１−レイティング設定処理、  ７２３−視聴制限処理、  ７２４−表示処理、
７３−ＲＡＭ、  ７４−不揮発性メモリ、
８−リモコン受光部、  ８０−リモコン、  ８１−カーソルキー、
８３−決定キー、  １０１−アンテナ、  １０２−表示器
【図１】
2008244615.tif 000003
【図２】
2008244615.tif 000004
【図３】
2008244615.tif 000005
【図４】
2008244615.tif 000006
【図５】
2008244615.tif 000007
【図６】
2008244615.tif 000008